(57)【特許請求の範囲】
【請求項１】
脚体における接地部よりも上方で、座よりも下方の部位に、足載せ部が設けられた椅子であって、前記足載せ部は、平面視において、前記座の外側向きに突出する複数の突出部と、前記突出部のうち隣り合う突出部同士を、前記突出部よりも相対的に前記座の外周縁の内側方向の位置において連結する連結部とよりなり、
前記座が、平面視において、ほぼ円状、または後部が前部よりも曲率半径の大きいほぼ楕円状の形状をなすとともに、
前記足載せ部における前記突出部は、平面視における前記座の外周縁の少なくとも前半部において、前記椅子の座の外周縁よりも外側に突出する複数の突出部であることを特徴とする椅子。
【請求項２】
脚体の中央に脚柱を立設し、前記脚体における接地部よりも上方で、座よりも下方の部位に、足載せ部が設けられた椅子であって、前記足載せ部は、平面視において、前記座の外側向きに突出する複数の突出部と、前記突出部のうち隣り合う突出部同士を、前記突出部よりも相対的に前記座の外周縁の内側方向の位置において連結する連結部とよりなり、
前記連結部の外周縁形状が、平面視において、前記脚柱方向に凹んだ凹状となっていることを特徴とする椅子。
【請求項３】
平面視における、連結部の凹状の外周縁形状が、弧状となっている請求項２記載の椅子。
【請求項４】
連結部の凹状となっている外周縁形状の凹んだ前端部が、平面視において、座の外周縁よりも内方に位置している請求項２または３に記載の椅子。
【請求項５】
脚体の中央に脚柱を立設し、前記脚体における接地部よりも上方で、座よりも下方の部位に、足載せ部が設けられた椅子であって、前記足載せ部は、平面視において、前記座の外側向きに突出する複数の突出部と、前記突出部のうち隣り合う突出部同士を、前記突出部よりも相対的に前記座の外周縁の内側方向の位置において連結する連結部とよりなり、
前記足載せ部が、前記脚柱に取付けられていることを特徴とする椅子。
【請求項６】
脚体の中央に脚柱を立設し、椅子における前記脚体の接地部よりも上方で、座よりも下方の部位に取付けられる足載せ部用オプション部材であって、平面視において、座の外側向きに突出する複数の突出部と、前記突出部のうち隣り合う突出部同士を、前記突出部よりも相対的に前記座の外周縁の内側方向の位置において連結する連結部とよりなり、
前記連結部の外周縁形状が、平面視において、前記脚柱方向に凹んだ凹状となっていることを特徴とする椅子の足載せ部用オプション部材。
【発明の詳細な説明】
【技術分野】
【０００１】
本願発明は、脚体における接地部よりも上方で、座よりも下方の部位に足載せ部が設けられた椅子、およびこれに用いる足載せ部用オプション部材に関する。
【背景技術】
【０００２】
前記技術分野に属する椅子、およびこれに用いる足載せ部用オプション部材としては、たとえば下記特許文献１〜３に開示されるものが公知である。
これらの文献に開示される椅子は、脚体における接地部としてのキャスタよりも、上方の部位に、平面視においてリング状をなす足載せ部が取付けられている。この足載せ部は、椅子の使用者が着座あるいは離座するときなどに、足を載せるために使用される。このような足載せ部を備えることによって、低年齢者、低身長者あるいは老齢者である着座者の着座または離座時の動作を補助することができる。また、副次的に、座が上下方向に移動可能である場合には、その移動のストロークを大きくすることも可能になるため、椅子の汎用性を高めることができる。
【０００３】
ところで、着座状態にある使用者と足載せ部との間に座が位置しているため、足載せ部を視認し難く、たとえば着座状態から離座する際に、足載せ部に足を載せようとしても、足を踏み外す等の問題が発生する虞がある。特に特許文献２に開示される椅子のように、近年、長時間の着座を前提としない小さなサイズの座と、この座に合わせたサイズの足載せ部を備える椅子も提案されているため、前記の足載せ部が視認し難いという問題は顕著である。
一方、特許文献３に開示される椅子のように、足載せ部の外径を、座および脚体の外径よりも大きくすれば、前記問題は解決されるが、足を載せる部位が脚体を含む椅子本体より外方向に遠ざかるため、上方から使用者の足によって入力される荷重に対する耐性が低くなり、足載せ部が破損したり、椅子自体が転倒する虞もある。
【先行技術文献】
【特許文献】
【０００４】
【特許文献１】実公昭５６-０１６１１９号公報
【特許文献２】実用新案登録第３００２７６５号公報
【特許文献３】特開２００２−３２０５３１号公報
【発明の概要】
【発明が解決しようとする課題】
【０００５】
本願発明は、前記問題に鑑みてなされたものであり、足載せ部の外周縁全体を過大に外方向に位置させることなく、使用者からの足載せ部の位置を容易に視認し得るようにするとともに、足載せ部への足載せによる上方からの荷重に対しても、椅子が転倒し難い足載せ部とすることが容易にできる椅子、およびこれに用いる足載せ部用オプション部材を提供することを課題とする。
【課題を解決するための手段】
【０００６】
本願発明によると、上記課題は、次のようにして解決される。
（１）脚体における接地部よりも上方で、座よりも下方の部位に、足載せ部が設けられた椅子であって、前記足載せ部が、平面視において、前記座の外側向きに突出する複数の突出部と、前記突出部のうち隣り合う突出部同士を、前記突出部よりも相対的に前記座の外周縁の内側方向の位置において連結する連結部とよりなることを特徴とする椅子とする。
【０００７】
このような構成とすると、足載せ部の外周縁全体を過大に外方向に位置させることなく、使用者からの足載せ部の位置を容易に視認し得るようにするとともに、足載せ部における突出部が、脚体の接地部に連結されている形態のものとすることにより、足載せ部への足載せによる上方からの荷重に対しても、椅子が転倒し難い足載せ部とすることが容易にできる椅子が提供される。
【０００８】
（２）上記（１）項において、足載せ部における突出部が、平面視において、椅子の座の外周縁よりも外側に突出する複数の突出部であるものとする。
【０００９】
このような構成とすると、足載せ部が、座の外周縁よりも外側に突出する突出部と、この突出部よりも相対的に座の外周縁の内側方向の位置において連結する連結部とにより構成されているために、足載せ部の外周縁全体を過大に外方向に位置させることなく、使用者は、座の外周縁よりも外側に突出する突出部により、足載せ部の位置を一層容易に視認し得るとともに、突出部よりも相対的に座の外周縁の内側方向の位置において連結する連結部の存在により、足載せ部への足載せによる上方からの荷重に対しても、椅子が転倒し難い足載せ部が設けられた椅子が提供される。
【００１０】
（３）上記（２）項において、座が、平面視において、ほぼ円状、または後部が前部よりも曲率半径の大きいほぼ楕円状の形状をなすとともに、足載せ部における突出部が、平面視において、前記座の外周縁の少なくとも前半部において、前記座の外周縁よりも外側に突出している形態のものとする。
【００１１】
このような構成とすると、足載せ部における突出部が、平面視において、使用者が視認し易い、座の外周縁の少なくとも前半部において、前記座の外周縁よりも外側に突出しているため、足載せ部の位置の確認が容易である。これにより、足を載せるか否かの判断とともに、その部位の確認が容易な足載せ部とすることができる。
【００１２】
（４）上記（１）項〜（３）項のいづれかにおいて、足載せ部における隣り合う突出部同士を連結する連結部の外周縁形状が、平面視において、座の外周縁内側方向に凹んだ凹状となっている形態のものとする。
【００１３】
このような構成とすると、連結部は、上方からの荷重に対して、より転倒方向へ変位しにくい部位となる。したがって、足や強度試験用の試験機を当接させ易くなる。
【００１４】
（５）上記（４）項において、平面視における、連結部の凹状の外周縁形状が、弧状となっている形態のものとする。
【００１５】
このような構成とすると、連結部は、上方からの荷重に対して一箇所に荷重が集中し難い形状となる。したがって、足や強度試験用の試験機を当接させるときに、より大きな荷重を入力することができる。
【００１６】
（６）上記（４）項または（５）項において、連結部の凹状となっている外周縁形状の凹んだ前端部が、平面視において、座の外周縁よりも内方に位置している形態のものとする。
【００１７】
このような構成とすると、上記（４）項および（５）項に記載した効果がより有効に得られるとともに、座の外周縁よりも内方に位置している、連結部の凹状の前端部近傍位置には、座の外周縁よりも外方に突出する連結部が存在しないため、着座者は、たとえば前記近傍位置から、足載せ部を介さずに、直接、離座することも容易にできる。
【００１８】
（７）上記（１）項〜（６）項のいずれかにおいて、足載せ部における突出部が、脚体の接地部に連結されている形態のものとする。
【００１９】
このような構成とすると、突出部は、脚体における接地部に連結されているので、上方から入力される荷重に対して下方への変位が抑制された部位となる。したがって、着座状態にある椅子の使用者は、突出部を視認しつつ、その突出部に足を掛けるという判断が行い易くなる。また、連結部に足を掛けた場合であっても、連結部は突出部よりも相対的に座の外周縁の内側方向に位置しているので、転倒方向への変位は発生しにくい。したがって、足や強度試験用の試験機を当接させ易くなる。
【００２０】
（８）上記（１）項〜（６）項のいずれかにおいて、足載せ部が、脚柱に取付けられている形態のものとする。
【００２１】
このような構成とすると、足載せ部を、必要に応じて、上下方向の位置を変更可能な構造で取付けることができる。
【００２２】
（９）椅子における脚体の接地部よりも上方で、座よりも下方の部位に取付けられる足載せ部用オプション部材であって、平面視において、座の外側向きに突出する複数の突出部と、前記突出部のうち隣り合う突出部同士を、前記突出部よりも相対的に前記座の外周縁の内側方向の位置において連結する連結部とよりなることを特徴とする椅子の足載せ部用オプション部材とする。
【００２３】
このような構成とすると、この足載せ部用オプション部材を椅子に取付けることにより、上記（１）項の効果として記載した内容と同一の効果が得られる。
また、オプション部材であるため、必要に応じて、椅子から取外すこともできる。さらに、異なる形態のオプション部材から要望に適合するものを選択して椅子に取付けることもできる。
【００２４】
（１０）上記（９）項において、足載せ部における隣り合う突出部同士を連結する連結部の外周縁形状が、平面視において、座の外周縁内側方向に凹んだ凹状となっている形態のものとする。
【００２５】
このような構成とすると、この足載せ部用オプション部材を椅子に取付けることにより、上記（４）項の効果として記載した内容と同一の効果が得られる。
【発明の効果】
【００２６】
本願発明によると、足載せ部の外周縁全体を過大に外方向に位置させることなく、使用者からの足載せ部の位置を容易に視認し得るようにするとともに、足載せ部への足載せによる上方からの荷重に対しても、椅子が転倒し難い足載せ部とすることが容易にできる椅子およびこれに用いる足載せ部用オプション部材を提供することができる。
【図面の簡単な説明】
【００２７】
【図１】本願発明を適用した第１実施例の椅子の前方斜視図である。
【図２】同じく、第１実施例の椅子の正面図である。
【図３】同じく、第１実施例の椅子の平面図である。
【図４】図２におけるIV〜IV線矢視平面図である。
【図５】キャスタの取付構造を示す要部の縦断面図である。
【図６】本願発明を適用した第２実施例の椅子の前方斜視図である。
【図７】同じく、第２実施例の椅子の正面図である。
【図８】同じく、第２実施例の椅子の平面図である。
【図９】図７におけるIX〜IX線矢視平面図である。
【図１０】足載せ部の脚体への取付構造を示す要部の縦断面図である。
【図１１】本願発明を適用した第３実施例の椅子の前方斜視図である。
【図１２】同じく、第３実施例の椅子の正面図である。
【図１３】同じく、第３実施例の椅子の平面図である。
【図１４】足載せ部の脚柱への取付構造を示す要部の縦断面図である。
【発明を実施するための形態】
【００２８】
以下、本願発明を実施例に基づいて説明する。
図１は、本願発明を適用した第１実施例の椅子の前方斜視図、図２は正面図、図３は平面図である。
【００２９】
図１に示すように、椅子は、脚体１と、この脚体１の中央に立設された脚柱２と、この脚柱２の上端に固着された支基３と、この支基３の上方に支持された座４とを有する。
座４の後部には、背凭れ５が一体的に設けられている。また、支基３には、座４の上下位置を調節するためのリング状のガススプリング操作用レバー６が取付けられている。
脚体１は、脚体本体７と、この脚体本体７の下端に取付けられた接地部としてのキャスタ８とより構成される。脚体本体７は、足載せ部９としての機能を併せ有する。
【００３０】
図４は、図２におけるIV〜IV線矢視平面図である。
図１、図４に示すように、足載せ部９として機能する脚体本体７は、平面視において、外周縁の形状が、略五角形状をなし、その各頂点に位置する部分に設けられた突出部１０と、前記突出部１０のうち隣り合う突出部同士を結ぶ連結部１１とを有する。連結部１１の外周縁形状は、平面視において、略五角形状の内側方向に凹んだ凹状となっている。
また、略五角形状の内部中央には、円状の空間部９ａがあり、この空間部の中央には脚柱２を嵌挿する孔部１２ａを備える中央部１２があり、この中央部１２から放射状に５本の連結杆１３が配設され、前記空間部９ａの外周と連結されている。
【００３１】
一般に、足載せ部９は、脚体１における接地部であるキャスタ８よりも上方で、座４よりも下方に設けられる。本発明において、足載せ部９の突出部１０は、平面視において、必ずしも、座４の外周縁４ａよりも外側に突出する必要はないが、好ましい形態としては、足載せ部９は、平面視において、座４の外周縁４ａよりも外側に突出する複数の突出部１０と、前記突出部１０のうち隣り合う突出部同士を、前記突出部１０よりも相対的に前記座４の外周縁４ａの内側方向の位置において連結する連結部１１とよりなるものとして構成することである。  突出部１０を、座４の外周縁４ａよりも外側に突出させることにより、使用者は、前記突出部により、足載せ部の位置の視認が一層容易になる。
突出部１０が、平面視において、座４の外周縁４ａよりも外側に突出している状態は、図３に示されている。
なお、突出部１０は、すべての突出部１０が、座４の外周縁４ａよりも外側に突出している必要はない。
【００３２】
一般に座４は、平面視において、ほぼ円状、または後部が前部よりも曲率半径の大きいほぼ楕円状の形状をなす場合が多く、突出部１０は、平面視において、座４の少なくとも前半部において、座４の外周縁４ａよりも外側に突出していることが好ましい。また、連結部１１は、隣り合う突出部同士を、前記突出部１０よりも相対的に前記座４の外周縁４ａの内側方向の位置において連結しているため、図３においても、連結部１１は、座４によって遮蔽されている。
【００３３】
連結部１１の外周縁１１ａの形状は、平面視において、座４の外周縁４ａの内側方向に凹んだ凹状となっており、特に弧状とすることが好ましい。また、連結部１１の凹状となっている外周縁１１ａの形状の凹んだ前端部が、平面視において、座４の外周縁４ａよりも内方に位置していることが好ましい。さらに、連結部１１の凹状は、隣り合う突出部同士の突出部先端から漸次、座４の外周縁４ａよりも内方に向けて凹状となっていることが好ましい。このような形態とすることにより、足載せ部としての突出部の面積を大きくすることができる。
【００３４】
図１、図２に示すように、各突出部１０には、下向きに脚杆１４が設けられており、この脚杆１４の下端にキャスタ８が取付けられることにより、突出部１０が脚体１の接地部であるキャスタ８に連結されている。
一般に、突出部１０は、脚体１の接地部であるキャスタ８と、脚柱２とを結ぶ軸線状に位置していることが好ましい。このことによって、足載せ部への足載せによる上方からの荷重に対しても、椅子が転倒し難い足載せ部が設けられた椅子が提供される。
【００３５】
図５は、キャスタ８の取付構造を示す要部の縦断面図である。キャスタ８の上端に設けられた取付用の雄ねじ８ａが、脚杆１４の下端に穿設された雌ねじ１４ａに螺合されて、キャスタ８が脚杆１４の下端に取付けられている。
【００３６】
図６は、本願発明を適用した第２実施例の椅子の前方斜視図、図７は正面図、図８は平面図である。
第１実施例では、足載せ部が脚体と一体的に構成されていたが、本実施例は、足載せ部がオプション部材として構成されているものである。
【００３７】
図６に示すように、第１実施例の場合と同様に、椅子は、脚体１５と、この脚体１５の中央に立設された脚柱１６と、この脚柱１６の上端に固着された支基１７と、この支基１７の上方に支持された座１８とを有する。
座１８の後部には、背凭れ１９が一体的に設けられている。また、支基１７には、座１８の上下位置を調節するためのリング状のガススプリング操作用レバー２０が取付けられている。また、脚体１５は、脚体本体２１と、この脚体本体２１の下端に取付けられた接地部としてのキャスタ２２とより構成される。脚体１５の上部には、オプション部材としての足載せ部２３が取付けられている。
【００３８】
図９は、図７におけるIX〜IX線矢視平面図である。
図９に示すように、足載せ部２３は、第１実施例の場合と同様に、平面視において、外周縁の形状が、略五角形状をなし、その各頂点に位置する部分に設けられた突出部２４と、前記突出部２４のうち隣り合う突出部同士を結ぶ連結部２５とを有する。連結部２５の外周縁形状は、平面視において、略五角形状の内側方向に凹んだ凹状となっている。また、略五角形状の内部中央には、円状の空間部２６がある。
【００３９】
突出部２４は、図８に示すように、平面視において、座１８の外周縁１８ａよりも外側に突出している。
図６、図７に示すように、突出部２４には、下向きに脚杆２７が設けられており、この脚杆２７の下端が脚体１５に取付けられている。
【００４０】
図１０は、足載せ部２３における脚杆２７の下端が、脚体１５に取付けられる構造を示す要部の縦断面図である。
脚杆２７の下端に、ボルト用ねじ孔２７ａ、脚体１５にボルト挿通孔１５ａがそれぞれ設けられ、下方より、ボルト挿通孔１５ａに貫挿させたボルト２８を、ボルト用ねじ孔２７ａに螺締することにより、オプション部材としての足載せ部２３が、椅子の脚体１５に取付けられる。
【００４１】
図１１は、本願発明を適用した第３実施例の椅子の前方斜視図、図１２は正面図、図１３は平面図である。
本実施例の足載せ部２９は、第２実施例の場合と同様に、オプション部材であるが、第２実施例と相違する点は、図１１に示すように、足載せ部２９が脚柱３０に取付けられており、足載せ部２９の上下方向の位置が調節できることである。
【００４２】
本実施例における椅子自体は、第２実施例において、足載せ部２３を取外したものと、実質的に同一であるので、説明を省略する。
足載せ部２９は、第１、第２実施例の場合と同様に、突出部３１と連結部３２とを有する。足載せ部２９の内部中央には、円状の空間部があり、この空間部２９ａの中央には、脚柱３０に外嵌される筒軸３３があり、この筒軸３３から放射状に５本の連結杆３４が配設され、前記空間部２９ａの外周と連結されている。筒軸３３には、足載せ部２９を脚柱３０に固定するための固定ねじ３５が、筒壁３３ａに穿設されたねじ孔３３ｂに螺合して設けられている。
【００４３】
図１４は、足載せ部２９の脚柱３０への取付構造を示す要部の縦断面図である。
足載せ部２９は、筒軸３３を脚柱３０に外嵌させ、足載せ部２９を上下方向の所望する位置に移動させた後に、ねじ孔３３ｂに螺合された固定ねじ３５を締め付けて、固定ねじ３５の前端を脚柱３０に圧接することにより、脚柱３０に固定される。
【００４４】
以上、足載せ部を備える椅子、および椅子の足載せ部用オプション部材について、代表的な実施例を挙げて説明したが、本願発明は、これらの実施例に限定されず、本願発明の趣旨を逸脱しない範囲で適宜の異なる形態に変更することができる。
たとえば、足載せ部の外周縁の形状は、任意の略多角形状、または略多角形状の後半部を弧状として突出部を有さないものとしてもよい。
【符号の説明】
【００４５】
１    脚体
２    脚柱
３    支基
４    座
４ａ  外周縁
５    背凭れ
６    ガススプリング操作用レバー
７    脚体本体
８    キャスタ（接地部）
８ａ  雄ねじ
９    足載せ部
９ａ  円状の空間部
１０    突出部
１１    連結部
１１ａ  外周縁
１２    中央部
１２ａ  孔部
１３    連結杆
１４    脚杆
１４ａ  雌ねじ
１５    脚体
１５ａ  ボルト挿通孔
１６    脚柱
１７    支基
１８    座
１８ａ  外周縁
１９    背凭れ
２０    ガススプリング操作用レバー
２１    脚体本体
２２    キャスタ（接地部）
２３    足載せ部
２４    突出部
２５    連結部
２６    円状の空間部
２７    脚杆
２７ａ  ボルト用ねじ孔
２８    ボルト
２９    足載せ部
２９ａ  円状の空間部
３０    脚柱
３１    突出部
３２    連結部
３３    筒軸
３３ａ  筒壁
３３ｂ  ねじ孔
３４    連結杆
３５    固定ねじ  
【図１】
0006744077.tif 000002
【図２】
0006744077.tif 000003
【図３】
0006744077.tif 000004
【図４】
0006744077.tif 000005
【図５】
0006744077.tif 000006
【図６】
0006744077.tif 000007
【図７】
0006744077.tif 000008
【図８】
0006744077.tif 000009
【図９】
0006744077.tif 000010
【図１０】
0006744077.tif 000011
【図１１】
0006744077.tif 000012
【図１２】
0006744077.tif 000013
【図１３】
0006744077.tif 000014
【図１４】
0006744077.tif 000015